(57)【要約】【課題】天井材が脱落するのを抑制することができる天井構造を提供する。【解決手段】建物の天井面材５０を支持する野縁４０と、野縁４０を支持する野縁受け３０と、建物の躯体と野縁受け３０との間に架設されると共に、野縁受け３０側の端部が野縁受け３０に固定された一対のブレース６０・６０と、一対のブレース６０・６０の野縁受け３０側の端部の側方に設けられ、野縁受け３０と天井面材５０とにそれぞれ固定される第二補強金具８０と、を具備し、第二補強金具８０は、野縁受け３０と固定されるビス８７と、天井面材５０に固定されるビス８６と、を具備し、ビス８７は、前後方向において、ビス８６（前側ビス８６ａ・後側ビス８６ｃ）の内側に設けられる。【選択図】図７
2020165122.tif 000002
【特許請求の範囲】
【請求項１】
建物の天井材を支持する野縁と、
前記野縁を支持する野縁受け部材と、
前記建物の躯体と前記野縁受け部材との間に架設されると共に、前記野縁受け部材側の端部が前記野縁受け部材に固定された一対のブレースと、
前記一対のブレースの前記野縁受け部材側の端部の側方に設けられ、前記野縁受け部材と前記天井材とにそれぞれ固定される固定補強部材と、
を具備する天井構造であって、
前記固定補強部材は、
前記野縁受け部材と固定される野縁受け部材側固定部と、
前記天井材に固定される天井材側固定部と、
を具備し、
前記野縁受け部材側固定部は、
前記野縁受け部材の長手方向に対して水平方向に直交する一方向の位置において、前記天井材側固定部の内側に設けられる、
ことを特徴とする天井構造。
【請求項２】
前記野縁受け部材側固定部は、
前記一方向の位置において、前記天井材側固定部の内側の中央と同一の位置に設けられる、
ことを特徴とする請求項１の天井構造。
【請求項３】
前記固定補強部材は、
前記野縁受け部材側固定部が設けられる上側部材と、
前記天井材側固定部が設けられる下側部材と、
前記上側部材の前記一方向における一側端部と前記下側部材の前記一方向における一側端部とを接続する接続部と、
を具備し、
前記接続部は、
鉛直方向に対して傾斜し、前記上側部材を前記一方向の位置において前記下側部材の内側に設ける、
ことを特徴とする請求項１または請求項２に記載の天井構造。
【請求項４】
前記接続部は、
上部において鉛直方向に延びる鉛直部を有する、
ことを特徴とする請求項３に記載の天井構造。
【請求項５】
前記固定補強部材は、
前記野縁受け部材側固定部が設けられる上側部材と、
前記天井材側固定部が設けられる下側部材と、
前記上側部材と前記下側部材とを接続する接続部と、
を具備し、
前記接続部は、
下端部から上端部まで鉛直方向に延びるように形成される、
ことを特徴とする請求項１または請求項２に記載の天井構造。
【請求項６】
前記接続部は、
前記接続部の前記一方向における中央から、鉛直方向に延びるように形成される、
ことを特徴とする請求項５に記載の天井構造。
【請求項７】
野縁を支持する野縁受け部材と、前記野縁に支持される建物の天井材と、にそれぞれ固定されるための固定補強部材であって、
前記固定補強部材は、
前記野縁受け部材と固定されるための野縁受け部材側固定部と、
前記天井材に固定されるための天井材側固定部と、
を具備し、
前記野縁受け部材側固定部は、
前記野縁受け部材の長手方向に対して水平方向に直交する一方向の位置において、前記天井材側固定部の内側に設けられる、
ことを特徴とする固定補強部材。
【発明の詳細な説明】
【技術分野】
【０００１】
本発明は、天井構造及び固定補強部材の技術に関する。
【背景技術】
【０００２】
従来、ブレースを具備する天井構造の技術は公知となっている。例えば、特許文献１に記載の如くである。
【０００３】
特許文献１には、天井材を支持する野縁と、前記野縁を支持する野縁受けと、前記野縁及び前記野縁受けに固定されるブレースと、が記載されている。ブレースは、野縁と野縁受けとが交差した領域に、ブレース下部取付具を介して取り付けられる。
【０００４】
このような構成により、野縁受け及び野縁とブレースとが強固に固定されるため、地震発生時における揺動応力（水平応力）を、野縁受け及び野縁からブレースへ直接的に伝達することができる。
【先行技術文献】
【特許文献】
【０００５】
【特許文献１】特開２０１５−７３２６号公報
【発明の概要】
【発明が解決しようとする課題】
【０００６】
しかしながら、特許文献１に記載の技術においては、地震発生時にはブレース下部取付具の周囲（ブレースの下端部の周囲）に応力が集中し易いため、この周囲に位置する野縁受け及び野縁の部分が変形や損傷（以下では単に「変形」と称する）する可能性がある。このように野縁受け及び野縁が変形した場合には、天井材が脱落する可能性がある。
【０００７】
本発明は、以上の如き状況を鑑みてなされたものであり、その解決しようとする課題は、天井材が脱落するのを抑制することができる天井構造を提供するものである。
【課題を解決するための手段】
【０００８】
本発明の解決しようとする課題は以上の如くであり、次にこの課題を解決するための手段を説明する。
【０００９】
即ち、請求項１においては、建物の天井材を支持する野縁と、前記野縁を支持する野縁受け部材と、前記建物の躯体と前記野縁受け部材との間に架設されると共に、前記野縁受け部材側の端部が前記野縁受け部材に固定された一対のブレースと、前記一対のブレースの前記野縁受け部材側の端部の側方に設けられ、前記野縁受け部材と前記天井材とにそれぞれ固定される固定補強部材と、を具備する天井構造であって、前記固定補強部材は、前記野縁受け部材と固定される野縁受け部材側固定部と、前記天井材に固定される天井材側固定部と、を具備し、前記野縁受け部材側固定部は、前記野縁受け部材の長手方向に対して水平方向に直交する一方向の位置において、前記天井材側固定部の内側に設けられるものである。
【００１０】
請求項２においては、前記野縁受け部材側固定部は、前記一方向の位置において、前記天井材側固定部の内側の中央と同一の位置に設けられるものである。
【００１１】
請求項３においては、前記固定補強部材は、前記野縁受け部材側固定部が設けられる上側部材と、前記天井材側固定部が設けられる下側部材と、前記上側部材の前記一方向における一側端部と前記下側部材の前記一方向における一側端部とを接続する接続部と、を具備し、前記接続部は、鉛直方向に対して傾斜し、前記上側部材を前記一方向の位置において前記下側部材の内側に設けるものである。
【００１２】
請求項４においては、前記接続部は、上部において鉛直方向に延びる鉛直部を有するものである。
【００１３】
請求項５においては、前記固定補強部材は、前記野縁受け部材側固定部が設けられる上側部材と、前記天井材側固定部が設けられる下側部材と、前記上側部材と前記下側部材とを接続する接続部と、を具備し、前記接続部は、下端部から上端部まで鉛直方向に延びるように形成されるものである。
【００１４】
請求項６においては、前記接続部は、前記接続部の前記一方向における中央から、鉛直方向に延びるように形成されるものである。
【００１５】
請求項７においては、野縁を支持する野縁受け部材と、前記野縁に支持される建物の天井材と、にそれぞれ固定されるための固定補強部材であって、前記固定補強部材は、前記野縁受け部材と固定されるための野縁受け部材側固定部と、前記天井材に固定されるための天井材側固定部と、を具備し、前記野縁受け部材側固定部は、前記野縁受け部材の長手方向に対して水平方向に直交する一方向の位置において、前記天井材側固定部の内側に設けられるものである。
【発明の効果】
【００１６】
本発明の効果として、以下に示すような効果を奏する。
【００１７】
請求項１においては、天井材が脱落するのを抑制することができる。
【００１８】
請求項２においては、固定補強部材が変形するのを抑制することができる。
【００１９】
請求項３においては、固定補強部材を比較的安価に提供することができる。
【００２０】
請求項４においては、固定補強部材が変形するのを抑制することができる。
【００２１】
請求項５においては、固定補強部材が変形するのを抑制することができる。
【００２２】
請求項６においては、固定補強部材が変形するのを抑制することができる。
【００２３】
請求項７においては、天井材が脱落するのを抑制することができる。
【図面の簡単な説明】
【００２４】
【図１】本発明の一実施形態に係る天井構造を示した概略斜視図。
【図２】（ａ）第一補強金具の斜視図。（ｂ）同じく、正面図。（ｃ）同じく、右側面図。（ｄ）同じく、Ａ−Ａ矢視断面図。
【図３】（ａ）第二補強金具の斜視図。（ｂ）同じく、正面図。（ｃ）同じく、右側面図。
【図４】第一補強金具及び第二補強金具の取り付け態様を示した斜視図。
【図５】同じく、正面断面図。
【図６】同じく、一部（右側半分）拡大図。
【図７】Ｂ−Ｂ矢視端面図。
【図８】第二補強金具とビスとの位置関係を示した平面断面模式図。
【図９】本発明の第二実施形態に係る天井構造を示した概略斜視図。
【図１０】本発明の第三実施形態に係る天井構造を示した正面断面図。
【図１１】（ａ）本発明の第二実施形態に係る第二補強金具の右側面図。（ｂ）本発明の第三実施形態に係る第二補強金具の右側面図。（ｃ）本発明の第四実施形態に係る第二補強金具の右側面図。
【図１２】第二実施形態に係る第二補強金具を用いた天井構造における端面図。
【図１３】第三実施形態に係る第二補強金具を用いた天井構造における端面図。
【図１４】第四実施形態に係る第二補強金具を用いた天井構造における端面図。
【図１５】（ａ）本発明に係る第二補強金具とは異なる金具とビスとの位置関係を示した平面断面模式図。（ｂ）図１５（ａ）に示す金具が変形した状態を示す平面断面模式図。
【発明を実施するための形態】
【００２５】
以下の説明においては、図中に示した矢印に従って、上下方向、左右方向及び前後方向をそれぞれ定義する。
【００２６】
以下では、図１を用いて、一実施形態に係る天井構造１について説明する。
【００２７】
天井構造１は、鉄骨造の建物Ｈにおける天井の構造である。なお、図１においては、便宜上、建物Ｈにおける天井の構造全体のうち一部が示されている。以下では、図１に示された天井構造１、すなわち天井の構造全体のうち一部について説明するものとする。天井構造１は、吊りボルト１０、ハンガー２０、野縁受け３０、野縁４０、天井面材５０、ブレース６０、第一補強金具７０及び第二補強金具８０を具備する。
【００２８】
吊りボルト１０は、建物Ｈの躯体Ａから吊り下げられるものである。吊りボルト１０は、躯体Ａに設けられたインサート（不図示）に取り付けられている。吊りボルト１０は、複数設けられる。図１においては、３本の吊りボルト１０が示されている。
【００２９】
ハンガー２０は、後述する野縁受け３０を支持するものである。ハンガー２０は、各吊りボルト１０の下端部に取り付けられる。
【００３０】
野縁受け３０は、後述する野縁４０を支持するものである。野縁受け３０は、長尺状に形成され、長手方向を左右方向に向けて配置される。野縁受け３０は、ハンガー２０に支持される。こうして、野縁受け３０は、ハンガー２０及び吊りボルト１０を介して建物Ｈの躯体Ａから吊設される。野縁受け３０は、複数設けられる。図１においては、３本の野縁受け３０が示されている。
【００３１】
野縁４０は、後述する天井面材５０を支持するのものである。野縁４０は、長尺状に形成され、長手方向を前後方向に向けて配置される。野縁４０は、クリップ部材４１を用いて野縁受け３０に支持される。野縁４０は、複数設けられる。図１においては、４本の野縁４０が示されている。
【００３２】
天井面材５０は、天井面を構成するものである。天井面材５０は、例えば板状の石膏ボードにより形成される。天井面材５０は、板面を上下方向に向けて配置される。天井面材５０は、野縁４０の下側面にビス８６を用いて固定される（図４参照）。
【００３３】
ブレース６０は、建物Ｈの躯体Ａと野縁受け３０との間に架設されるものである。ブレース６０は、長尺状に形成され、長手方向を鉛直方向に対して傾斜した姿勢で配置される。ブレース６０の上端部は、建物Ｈの躯体Ａに固定される。ブレース６０の下端部は、ビスＢにより野縁受け３０に固定される（図６参照）。ブレース６０は、長手方向断面視で略Ｃ字状に形成される。本実施形態において、ブレース６０は、前側が開放し、後側が閉鎖面となるように配置される。図１においては、左右に並設される一対のブレース６０が示されている。
【００３４】
一対のブレース６０は、左右方向に対称形状に形成される。より詳細には、一対のブレース６０のうち、左側に配置されるブレース６０（以下では「左側ブレース６０Ｌ」と称する場合がある）は、上側が左方に位置し、下側が右方に位置するように配置される。また、一対のブレース６０のうち、右側に配置されるブレース６０（以下では「右側ブレース６０Ｒ」と称する場合がある）は、上側が右方に位置し、下側が左方に位置するように配置される。左側ブレース６０Ｌ及び右側ブレース６０Ｒは、正面視で吊りボルト１０を中心とした対称形状に形成される。左側ブレース６０Ｌ及び右側ブレース６０Ｒは、それぞれ下端部側へ行くに従って互いに近接するように配置される。
【００３５】
以下では、図１及び図２を用いて、第一補強金具７０の構成について詳細に説明する。
【００３６】
図１に示すように、第一補強金具７０は、左側ブレース６０Ｌ及び右側ブレース６０Ｒそれぞれに固定されると共に当該左側ブレース６０Ｌ及び右側ブレース６０Ｒの間を亘るように設けられるものである。第一補強金具７０は、金属製の部材である。第一補強金具７０は、一枚の平板状の部材が適宜折り曲げられることにより形成される。第一補強金具７０は、本体部７１、上端延出部７２、下端延出部７３及び爪部７４を具備する。
【００３７】
本体部７１は、第一補強金具７０の主たる構造体である。本体部７１は、平板状に形成される。本体部７１は、長手方向を左右方向に向けて配置される。本実施形態において、本体部７１の長手方向の長さは、４４０ｍｍに形成される。また、本体部７１は、短手方向を上下方向に向けて配置される。本実施形態において、本体部７１の短手方向の長さは、１００ｍｍに形成される。また、本体部７１は、板厚方向を前後方向に向けて配置される。本実施形態において、本体部７１の板厚方向の長さは、２．３ｍｍに形成される。このように、本体部７１は、作業者（第一補強金具７０及び第二補強金具８０の取り付け作業を行う者）が片手で容易に掴める程度の大きさに形成される。
【００３８】
上端延出部７２は、本体部７１の上端部から後方に延出された部分である。上端延出部７２は、本体部７１の左右端部に亘るように形成される。
【００３９】
下端延出部７３は、本体部７１の下端部から後方に延出された部分である。下端延出部７３は、本体部７１の左右端部を除く部分に形成される。
【００４０】
こうして、上端延出部７２及び下端延出部７３により、第一補強金具７０の剛性が向上される。また、作業者が第一補強金具７０を片手で掴む場合に、例えば親指を下端延出部７３に引っ掛けると共にその他の指を上端延出部７２に引っ掛けることによって、当該作業者は（上端延出部７２及び下端延出部７３が無い場合と比べて）第一補強金具７０をしっかりと掴むことができる。
【００４１】
爪部７４は、本体部７１の左右の下端部から概ね下方に延出された部分である。左右の爪部７４は、左右方向に対称形状に形成される。爪部７４は、第一部分７５及び第二部分７６を具備する。
【００４２】
第一部分７５は、爪部７４の第二部分７６と本体部７１とを接続する部分である。第一部分７５は、正面視で略四角形の平板状に形成される。第一部分７５は、本体部７１の下端部の一部分が前下方に折り曲げられることにより形成される。すなわち、第一部分７５の上端部は、本体部７１と連結される。第一部分７５は、下方へ行くに従って前後方向位置において本体部７１から離間するような傾斜状に形成される。
【００４３】
第二部分７６は、爪部７４の第一部分７５から下方へ延出される部分である。第二部分７６は、正面視で略四角形の平板状に形成される。第二部分７６は、板面を前後方向へ向けて設けられる。第二部分７６の上端部は、第一部分７５の下端部と連結される。第二部分７６の後側面は、前後方向位置において本体部７１の前側面と略同一となるように形成される。第二部分７６には、前後方向に貫通するビス孔７９が形成される。
【００４４】
以下では、図１及び図３を用いて、第二補強金具８０の構成について詳細に説明する。
【００４５】
第二補強金具８０は、後述するように、野縁受け３０及び天井面材５０にそれぞれ固定されるものである。第二補強金具８０は、概ね長手状に形成される。本実施形態において、第二補強金具８０の長手方向（左右方向）の長さは、２２０ｍｍに形成される。第二補強金具８０は、板厚が１．２ｍｍである一枚の金属製の板状部材が、適宜折り曲げられることにより形成される。第二補強金具８０は、側面視で前方へ向けて開放された略箱状に形成される。第二補強金具８０は、上端延出部８１、垂れ部８２、接続部８３及び下端延出部８４を具備する。
【００４６】
上端延出部８１は、第二補強金具８０の上側面を構成する部分である。上端延出部８１は、第二補強金具８０の上端部で水平方向に延出するように設けられる。上端延出部８１は、板面を上下方向へ向けて配置される。上端延出部８１は、平面視で左右方向に細長い略矩形状に形成される。
【００４７】
垂れ部８２は、上端延出部８１の前端部から垂れるように設けられた部分である。垂れ部８２は、板面を前後方向へ向けて配置される。垂れ部８２は、正面視で左右方向に細長い略矩形状に形成される。垂れ部８２の上端部は、上端延出部８１の前端部と接続される。垂れ部８２には、前後方向に貫通するビス孔８２ａが形成される。ビス孔８２ａは、左右方向に互いに間隔をあけて複数（本実施形態においては、３つ）形成される。
【００４８】
接続部８３は、第二補強金具８０の後側面を構成する部分である。接続部８３は、上端延出部８１と後述する下端延出部８４とを接続する。接続部８３は、板面を後上方及び前下方へ向けて配置される。すなわち、接続部８３は、側面視で、下端部から前上方へ直線状に延びるように形成される。こうして、接続部８３の全体は、下端部から鉛直方向に対して前方へ傾斜した姿勢に形成される。接続部８３の上端部は、上端延出部８１の後端部に接続される。
【００４９】
下端延出部８４は、第二補強金具８０の下側面を構成する部分である。下端延出部８４は、第二補強金具８０の下端部で水平方向に延出するように設けられる。下端延出部８４は、板面を上下方向へ向けて配置され、上端延出部８１と互いに平行となる。下端延出部８４は、平面視で左右方向に細長い略矩形状に形成される。下端延出部８４の後端部は、接続部８３の下端部に接続される。下端延出部８４の前端部は、上方へ折り曲げられたリブ状に形成される。
【００５０】
下端延出部８４の短手方向（前後方向）の長さは、上端延出部８１の短手方向（前後方向）の長さよりも長く形成される。本実施形態においては、下端延出部８４の前後方向の長さは、５０ｍｍ（上端延出部８１の前後方向の長さの約３〜４倍程度の長さ）に形成される。下端延出部８４の後端部は、前後方向位置において上端延出部８１の後端部よりも後方に位置する。また、下端延出部８４の前端部は、前後方向位置において上端延出部８１の前端部よりも前方に位置する。
【００５１】
こうして、第二補強金具８０においては、上端延出部８１は、全体が鉛直方向に対して前方へ傾斜する接続部８３を介することにより、前後方向位置において下端延出部８４の内側に位置する。また、上端延出部８１の前端部（すなわち、垂れ部８２）は、前後方向位置において下端延出部８４の中央と同一の位置に配置される。
【００５２】
また、第二補強金具８０においては、上端延出部８１、垂れ部８２及び接続部８３の上部により、側面視で下方に開放された略コの字状の空間が形成される。当該空間には、後述するように野縁受け３０の上部が挿入される。なお以下では、この空間を「挿入部８５」と称する。
【００５３】
上述の如き第一補強金具７０及び第二補強金具８０は、天井構造１において、当該天井構造１を構成する上記各種の部材（吊りボルト１０、ハンガー２０、野縁受け３０、野縁４０、天井面材５０及びブレース６０）のうち、天井面材５０を除く他の部材が取り付けられた状態で、取り付け可能である。具体的には、上述の如く天井面材５０を除く他の部材が取り付けられた状態で、まず第二補強金具８０が取り付けられる。なお、本実施形態においては、図１等に示すように、２つの第二補強金具８０が取り付けられる。次に、第一補強金具７０が取り付けられる。そして最後に、天井面材５０が取り付けられる。
【００５４】
以下では、天井構造１における第一補強金具７０及び第二補強金具８０の取り付け態様について説明する。
【００５５】
まず、図４から図８を用いて、第二補強金具８０の取り付け態様について説明する。
【００５６】
本実施形態においては、上述の如く２つの第二補強金具８０が取り付けられる。２つの第二補強金具８０の取り付け態様は、左右方向に対称であることを除いて略同様である。そこで以下では、主として右側の第二補強金具８０に着目して説明を行うものとし、左側の第二補強金具８０については適宜説明を省略する。
【００５７】
第二補強金具８０は、野縁受け３０に上方から引っ掛けられる。より詳細には、図７に示すように、第二補強金具８０の挿入部８５に野縁受け３０の上端部が挿入されると共に、当該第二補強金具８０の上端延出部８１が野縁受け３０の上端部に載置される。また、第二補強金具８０の垂れ部８２（挿入部８５の前側面）は、野縁受け３０の前側面と接触する。垂れ部８２のビス孔８２ａには、ビス８７がねじ込まれる。なお、３つのビス孔８２ａのうち最も左側のビス孔８２ａには、第一補強金具７０のビス孔７９を介してビス８７がねじ込まれる。こうして、第二補強金具８０は、垂れ部８２（挿入部８５の一部）がビス８７により野縁受け３０と固定される。
【００５８】
こうして、第二補強金具８０は、横方向に挿通された固定手段（ビス８７）により野縁受け３０と固定されるため、例えば地震発生時において、例えば一対のブレース６０のうち一方のブレース６０に長手方向一方への力が作用し、他方のブレース６０に長手方向他方への力が作用した場合等、野縁受け３０に対して、大きなせん断力が作用した場合であっても、野縁受け３０の変形が抑制され、当該野縁受け３０、第二補強金具８０と天井面材５０との間の応力伝達をより確実に行うことができる。
【００５９】
なお、作業者が第二補強金具８０を野縁受け３０に固定する作業を行う場合、ビス８７により固定する前であっても、第二補強金具８０を野縁受け３０に引っ掛けて留めておく（仮止めする）ことができる。こうして、第二補強金具８０の取り付け作業（より詳細には、ビス止め作業）を行う場合の施工性を向上させることができる。
【００６０】
また、図６に示すように、第二補強金具８０の下端延出部８４の下面は、野縁４０の下面と同一水平面上に位置する。第二補強金具８０の下端延出部８４は、野縁４０に支持された天井面材５０に固定される。具体的には、第二補強金具８０の下端延出部８４は、天井面材５０と略隙間無く重ね合わされた状態で、天井面材５０の下方から上方へねじ込まれた複数のビス８６により当該天井面材５０と固定される。こうして、第二補強金具８０は、野縁受け３０と天井面材５０とにそれぞれ固定される。
【００６１】
本実施形態において、ビス８６は、図８に示すように、前後及び左右方向に互いに間隔をあけて１５つねじ込まれる。ここで、図８は、第二補強金具８０とビス（ビス８７及びビス８６）との位置関係を示した平面断面模式図である。なお、図８においては、便宜上、説明に不要な部材や部分（例えば、接続部８３等）の図示を省略している。ビス８６は、左右方向に並ぶ列が３列、前後方向に並ぶ列が５列並ぶように配置される。なお以下では、左右方向に並ぶ列のビス８６のうち、最も前側に配置されるものを「前側ビス８６ａ」、中央に配置されるものを「中央ビス８６ｂ」、最も後側に配置されるものを「後側ビス８６ｃ」と、それぞれ称する。
【００６２】
中央ビス８６ｂは、野縁受け３０にねじ込まれたビス８７と、前後方向において略同一の位置に配置される。また、前側ビス８６ａ及び後側ビス８６ｃは、前後方向において、ビス８７がねじ込まれた垂れ部８２を基準として一方側と他方側とに配置され、平面視で当該ビス８７を挟み込むように（垂れ部８２を基準として前後方向に対称となる位置に）配置される。このように、ビス８７は、前後方向位置において、複数のビス８６（前側ビス８６ａ及び後側ビス８６ｃ）の内側に設けられる。前側ビス８６ａ及び後側ビス８６ｃは、ビス８７に対して、前後方向位置において、比較的近接した位置（より詳細には、前後方向に隣り合うビス８６の間の距離の分だけ離れた位置）に配置される。
【００６３】
上述の如き第二補強金具８０の構成により、例えば地震発生時に天井面材５０が野縁受け３０の長手方向（左右方向）に揺れた場合に、第二補強金具８０が変形するのを効果的に抑制することができる。以下では、図１５を用いて、上述の如き変形について具体的に説明する。なお、図１５（ａ）は、第二補強金具８０とは異なる金具（以下では「補強金具９００」と称する）とビスとの位置関係を示している。なお、説明の便宜上、補強金具９００は、第二補強金具８０と対応する構成を有するものとし、対応する構成については互いに同一の名称とする。補強金具９００においては、第二補強金具８０と大きく異なる点は、ビス９８７（垂れ部９８２と野縁受け３０とを固定するビス）が、平面視で下端延出部９８４の前方に位置する点である。
【００６４】
上述の如く、補強金具９００においては、垂れ部９８２と野縁受け３０とを固定するビス９８７が、平面視で下端延出部９８４の前方に配置される。こうして、補強金具９００においては、下端延出部９８４と天井面材５０とを固定するための複数のビス９８６のうち、後側ビス９８６ｃ（左右方向に並ぶ３列のうち、最も後側の列のビス）が、ビス９８７に対して、前後方向位置において比較的離間した位置（より詳細には、前後方向に隣り合うビス９８６の間の距離三つ分だけ離れた位置）に配置される。また、補強金具９００においては、第二補強金具８０とは異なり、全てのビス９８６が、平面視で、ビス９８７を基準として一方側（後側）に位置する。
【００６５】
こうして、後側ビス９８６ｃがビス９８７に対して前後方向位置において比較的離間した位置に配置されるため、及び、平面視で全てのビス９８６がビス９８７を基準として一方側（後側）に配置されるため、図１５（ａ）の黒矢印に示すように、地震発生時に、例えば天井面材５０が野縁受け３０に対して相対的に左方へ揺れようとした場合、補強金具９００に対して、ビス９８７近傍の部分を支点として平面視で反時計回り方向へ比較的強い力が加えられる。これにより、図１５（ｂ）に示すように、補強金具９００は、ビス９８７の近傍の部分が、加えられた力に抗えず、概ね当該ビス９８７の位置を中心として平面視で反時計回り方向へ捻られるように変形する。
【００６６】
これに対して、本発明に係る第二補強金具８０においては、上述の如く、ビス８６がビス８７に対して前後方向位置において比較的近接した位置に配置されるため、及び、前側ビス８６ａ及び後側ビス８６ｃが前後方向においてビス８７を挟み込むように配置されている。こうして、地震発生時に例えば天井面材５０が野縁受け３０に対して相対的に左方へ揺れようとした場合であっても、ビス８７の近傍部分を支点として平面視で反時計回り方向へ比較的強い力が加えられるのを抑制することができる。これにより、第二補強金具８０は、ビス８７近傍の部分が、加えられた力（捻られるような力）に抗うことができ、ひいては平面視で捻られるように変形するのを抑制することができる。
【００６７】
また、第二補強金具８０は、一対のブレース６０にそれぞれ対応するように設けられる。より詳細には、一対のブレース６０のうち、左側ブレース６０Ｌに対応するように、左側の第二補強金具８０が設けられる。また、右側ブレース６０Ｒに対応するように、右側の第二補強金具８０が設けられる。
【００６８】
（右側の）第二補強金具８０は、右側ブレース６０Ｒの下端部の右側方に、比較的小さな隙間（例えば、クリップ部材４１や野縁４０が配置される程度の隙間）をあけて設けられる。すなわち、第二補強金具８０の左側端部は、右側ブレース６０Ｒの下端部の近傍に設けられる。
【００６９】
上述の如き第二補強金具８０の構成により、例えば地震発生時に天井面材５０が野縁受け３０の長手方向（左右方向）に揺れた場合、当該天井面材５０に生じる水平力を第二補強金具８０によって効果的に野縁受け３０に伝達し、ひいては一対のブレース６０に効果的に伝達することができる。こうして、天井構造１においては、当該天井構造１を構成する上記各種の部材を一体的に変位させることができ、例えば建物Ｈの壁部等に衝突するのを抑制し、当該衝突により天井面材５０が脱落するのを抑制することができる。
【００７０】
また、一対のブレース６０と天井面材５０とが、野縁受け３０及び野縁４０を介して固定されるだけでなく、野縁受け３０及び第二補強金具８０（より詳細には、下端延出部８４）を介して固定される。こうして、一対のブレース６０と天井面材５０との間において応力が集中するのを抑制することができる。こうして、応力の集中による上記各種の部材（例えば、野縁受け３０）が変形するのを抑制することができ、当該変形により天井面材５０が脱落するのを抑制することができる。
【００７１】
次に、図４から図７を用いて、第一補強金具７０の取り付け態様について説明する。
【００７２】
本実施形態においては、第一補強金具７０の右側半分と左側半分とにおける取り付け態様は、左右方向に対称であることを除いて略同様である。そこで以下では、第一補強金具７０の右側半分について着目して説明を行うものとし、左側半分については適宜説明を省略する。
【００７３】
第一補強金具７０は、野縁受け３０、クリップ部材４１及び第二補強金具８０の上方に設けられる。第一補強金具７０は、野縁受け３０、クリップ部材４１及び第二補強金具８０に載置される。より詳細には、第一補強金具７０は、クリップ部材４１及び第二補強金具８０に対して下端延出部７３が直接的に載置される。また、第一補強金具７０は、野縁受け３０に対して、クリップ部材４１及び第二補強金具８０を介して下端延出部７３が間接的に載置される。このように、第一補強金具７０は、野縁受け３０、クリップ部材４１及び第二補強金具８０に対して、直接的又は間接的に上方から接触するように設けられる。
【００７４】
また、第一補強金具７０は、爪部７４が野縁受け３０に対して側方から当接するように設けられる。より詳細には、爪部７４のうち、第二部分７６の後側面が、第二補強金具８０の垂れ部８２の前側面に前側方から当接される。なお、第二補強金具８０の垂れ部８２は、野縁受け３０と当接される。したがって、第一補強金具７０の爪部７４は、第二補強金具８０の垂れ部８２を介して野縁受け３０と当接される。
【００７５】
また、第一補強金具７０は、ビス孔７９（図２参照）に挿通されたビス８７により第二補強金具８０及び野縁受け３０と固定される。なお、第一補強金具７０のビス孔７９は、第二補強金具８０の左端のビス孔８２ａと前後方向に重複するように設けられる。こうして、第一補強金具７０と第二補強金具８０とが、前後方向に重複するように設けられたビス孔（ビス孔７９及びビス孔８２ａ）を介して共締めされる。
【００７６】
また、第一補強金具７０は、右側ブレース６０Ｒと当接するように設けられる。より詳細には、第一補強金具７０の本体部７１の前側面が、右側ブレース６０Ｒの後側面（閉鎖面）と当接される。ここで、右側ブレース６０Ｒの下端部（ビスＢにより野縁受け３０に固定された部分）は、第一補強金具７０の右側半分のうち左部の下方（換言すれば、第一補強金具７０全体のうち、左右方向中央から若干右よりの下方）に設けられる。そのため、右側ブレース６０Ｒは、正面視で第一補強金具７０の右側半分を斜めに横断するように、当該第一補強金具７０と当接される。
【００７７】
また、第一補強金具７０は、ビスＳにより右側ブレース６０Ｒと固定される。当該ビスＳは、第一補強金具７０の上部及び下部それぞれに設けられる。こうして、右側ブレース６０Ｒは、ビスＢにより直接的に野縁受け３０に固定されるだけでなく、第一補強金具７０及び第二補強金具８０を介して間接的に野縁受け３０に固定される。すなわち、右側ブレース６０Ｒは、野縁受け３０に支持された野縁４０を介して天井面材５０を支持するだけでなく、第一補強金具７０及び第二補強金具８０（より詳細には、下端延出部８４）を介して天井面材５０を支持することができる。換言すれば、右側ブレース６０Ｒは、下端部に比較的近い場所だけでなく、比較的離れた場所において天井面材５０を支持することができる。
【００７８】
上述の如き第一補強金具７０の構成により、例えば地震発生時に天井面材５０が野縁受け３０の長手方向（左右方向）に揺れた場合、当該天井面材５０に生じる水平力を第一補強金具７０によって野縁受け３０から効果的に一対のブレース６０に伝達することができる。こうして、天井構造１においては、当該天井構造１を構成する上記各種の部材を一体的に変位させることができ、例えば建物Ｈの壁部等に衝突するのを抑制し、当該衝突により天井面材５０が脱落するのを抑制することができる。
【００７９】
また、一対のブレース６０と天井面材５０とが、野縁受け３０及び野縁４０を介して固定されるだけでなく、第一補強金具７０、野縁受け３０及び第二補強金具８０（より詳細には、下端延出部８４）を介して固定される。こうして、一対のブレース６０と天井面材５０との間において応力が集中するのを抑制することができる。こうして、応力の集中による上記各種の部材（例えば、野縁受け３０）が変形するのを抑制することができ、当該変形により天井面材５０が脱落するのを抑制することができる。
【００８０】
以上のように、一実施形態に係る天井構造１においては、
建物Ｈの天井面材５０を支持する野縁４０と、
前記野縁４０を支持する野縁受け３０と、
前記建物Ｈの躯体Ａと前記野縁受け３０との間に架設されると共に、前記野縁受け３０側の端部が前記野縁受け３０に固定された一対のブレース６０・６０と、
前記一対のブレース６０・６０の前記野縁受け３０側の端部の側方に設けられ、前記野縁受け３０と前記天井面材５０とにそれぞれ固定される第二補強金具８０（固定補強部材）と、
を具備する天井構造であって、
前記第二補強金具８０（固定補強部材）は、
前記野縁受け３０と固定されるビス８７と、
前記天井面材５０に固定されるビス８６と、
を具備し、
前記ビス８７は、
前後方向位置（前記野縁受け３０の長手方向に対して水平方向に直交する一方向の位置）において、前記ビス８６（前側ビス８６ａ・後側ビス８６ｃ）の内側に設けられるものである。
【００８１】
このような構成により、天井面材５０が脱落するのを抑制することができる。
具体的には、一対のブレース６０と天井面材５０とが、野縁受け３０及び野縁４０を介して固定されるだけでなく、野縁受け３０及び第二補強金具８０を介して固定される。こうして、一対のブレース６０と天井面材５０との間において応力が集中するのを抑制することができる。こうして、応力の集中による上記各種の部材（例えば、野縁受け３０）が変形するのを抑制することができ、当該変形により天井面材５０が脱落するのを抑制することができる。
【００８２】
また、ビス８７が前後方向位置（野縁４０の長手方向に対して水平方向に直交する一方向の位置）において、前記ビス８６（前側ビス８６ａ・後側ビス８６ｃ）の内側に設けられるため、平面視でビス８７の近傍部分を支点として回転する方向へ比較的強い力が加えられるのを抑制することができる。これにより、第二補強金具８０は、ビス８７近傍の部分が、加えられた力（捻られるような力）に抗うことができ、ひいては平面視で捻られるように変形するのを抑制することができる。
【００８３】
また、天井構造１において、
前記ビス８７は、
前記前後方向位置（一方向の位置）において、前記ビス８６（前側ビス８６ａ・後側ビス８６ｃ）の内側の中央と同一の位置に設けられるものである。
【００８４】
このような構成により、平面視で、ビス８７の近傍部分を支点として回転する方向へ比較的強い力が加えられるのを、より効果的に抑制することができる。これにより、第二補強金具８０は、ビス８７近傍の部分が、加えられた力（捻られるような力）に抗うことができ、ひいては平面視で捻られるように変形するのを効果的に抑制することができる。
【００８５】
また、天井構造１においては、
前記第二補強金具８０（固定補強部材）は、
前記ビス８７が設けられる上端延出部８１・垂れ部８２（上側部材）と、
前記ビス８６が設けられる下端延出部８４（下側部材）と、
前記上端延出部８１・垂れ部８２（上側部材）の後端部（前記一方向における一側端部）と前記下端延出部８４（下側部材）の後端部（前記一方向における一側端部）とを接続する接続部８３と、
を具備し、
前記接続部８３は、
鉛直方向に対して傾斜し、前記上端延出部８１・垂れ部８２（上側部材）を前記前後方向位置（一方向の位置）において前記下端延出部８４（下側部材）の内側に設けるものである。
【００８６】
このような構成により、第二補強金具８０を、例えば一枚の金属製の板状部材を適宜折り曲げることにより形成することができる。すなわち、上端延出部８１・垂れ部８２（上側部材）を前後方向位置において下端延出部８４（下側部材）の内側に設けるために、溶接等の複数の部材を接合するための加工を必要としない。こうして、簡易な構成で製造することができるため、製造コストを削減でき、第二補強金具８０を比較的安価に提供することができる。
【００８７】
また、一実施形態に係る第二補強金具８０においては、
野縁４０を支持する野縁受け３０と、前記野縁４０に支持される建物Ｈの天井面材５０と、にそれぞれ固定されるための第二補強金具８０（固定補強部材）であって、
前記第二補強金具８０（固定補強部材）は、
前記野縁受け３０と固定されるための上端延出部８１・垂れ部８２（野縁受け部材側固定部）と、
前記天井面材５０に固定されるための下端延出部８４（天井材側固定部）と、
を具備し、
前記上端延出部８１・垂れ部８２（野縁受け部材側固定部）は、
前記前後方向位置（前記野縁受け３０の長手方向に対して水平方向に直交する一方向の位置）において、前記下端延出部８４（天井材側固定部）の内側に設けられるものである。
【００８８】
このような構成により、第二補強金具８０を用いた場合には（具体的には、天井構造１において一対のブレース６０・６０の野縁受け３０側の端部の側方に、第二補強金具８０を設けた場合には）、応力の集中による各種の部材（例えば、野縁受け３０）が変形するのを抑制することができ、当該変形により天井面材５０が脱落するのを抑制することができる。また、上端延出部８１・垂れ部８２の近傍の部分が、加えられた力（捻られるような力）に抗うことができ、ひいては平面視で捻られるように変形するのを抑制することができる。
【００８９】
なお、第二補強金具８０は、固定補強部材の実施の一形態である。
また、ビス８７は、「野縁受け部材と固定される野縁受け部材側固定部」の実施の一形態である。
また、ビス８６（前側ビス８６ａ・後側ビス８６ｃ）は、「天井材に固定される天井材側固定部」の実施の一形態である。
また、上端延出部８１・垂れ部８２は、上側部材の実施の一形態である。
また、下端延出部８４は、下側部材の実施の一形態である。
また、上端延出部８１・垂れ部８２は、「野縁受け部材と固定されるための野縁受け部材側固定部」の実施の一形態である。
また、下端延出部８４は、「天井材に固定されるための天井材側固定部」の実施の一形態である。
【００９０】
以上、一実施形態を説明したが、本発明は上記構成に限定されるものではなく、特許請求の範囲に記載された発明の範囲内で種々の変更が可能である。
【００９１】
例えば、本実施形態において、野縁４０は、シングル野縁であるものとしたが、シングル野縁よりも横幅が大きなダブル野縁であってもよい。
【００９２】
また、第一補強金具７０の構成は、本実施形態に係るものに限定されない。例えば、第一補強金具７０の大きさ及び形状は、適宜変更可能である。ただし、作業者が第一補強金具７０を片手で掴める程度大きさ（例えば、上下方向の長さが、１１０ｍｍ以下）であることが望ましい。また、第一補強金具７０は、一枚の平板状の部材が適宜折り曲げられることにより形成されるとしたが、例えば爪部７４を溶接により本体部７１と連結させるものとしてもよい。また、爪部７４は、第二補強金具８０に側方から当接されるものとしたが、上方、又は、上方及び側方から当接されるものとしてもよい。
【００９３】
また、第一補強金具７０は、例えば地震発生時において、一対のブレース６０のうち一方のブレース６０に長手方向一方への力が作用し、他方のブレース６０に長手方向他方への力が作用した場合、所定の大きさ以上の力が作用すると、適宜変形するようなものであってもよい。これにより、地震の衝撃を柔軟に吸収することができる。
【００９４】
また、第一補強金具７０は、野縁受け３０、クリップ部材４１及び第二補強金具８０に対して、直接的又は間接的に上方から接触するように設けられるものとしたが、離間するものであってもよい。ただし、離間するように設けられる場合であっても、第一補強金具７０は、野縁受け３０、クリップ部材４１及び第二補強金具８０に対して、近傍（略接するよう）に設けられることが望ましい。
【００９５】
第二補強金具８０は、一対のブレース６０にそれぞれ対応するように２つ設けられるものとしたが、２つの第二補強金具８０が一体的に形成されるもの（すなわち、１つの第二補強金具８０が、一対のブレース６０にそれぞれ対応するように設けられるもの）としてもよい。
【００９６】
また、第一補強金具７０及び第二補強金具８０は、ビス８７を用いて取り付けられる（固定される）ものとしたが、適宜の固定手段を用いることができる。
【００９７】
また、ビス８６は、左右方向に並ぶ列が３列、前後方向に並ぶ列が５列並ぶように配置されるものとしたが、これに限定されるものではない。
【００９８】
以下では、図９を用いて、第二実施形態に係る天井構造１０１について説明する。
【００９９】
第二実施形態に係る天井構造１０１においては、第一実施形態に係る天井構造１において、野縁受け３０にブレース６０、第一補強金具７０及び第二補強金具８０が取り付けられていたのに対し、野縁受け継ぎ部材１３０に、第一補強金具７０及び第二補強金具８０が取り付けられる点で、当該第一実施形態と異なる。
【０１００】
野縁受け継ぎ部材１３０は、長尺状の部材である。野縁受け継ぎ部材１３０は、複数（本実施形態においては、３本）の野縁受け３０の上方で、当該野縁受け３０の長手方向に対して直交する方向へ長手方向を向けて配置される。野縁受け継ぎ部材１３０は、３本の野縁受け３０に亘るように設けられると共に、これらの野縁受け３０と固定される。
【０１０１】
第一補強金具７０及び第二補強金具８０は、第一実施形態に係る天井構造１の野縁受け３０に対する取り付け態様と同様の態様で取り付けられる。
【０１０２】
なお、野縁受け継ぎ部材１３０は、野縁受け部材の実施の一形態である。
【０１０３】
以下では、図１０を用いて、第三実施形態に係る天井構造１０２について説明する。
【０１０４】
第三実施形態に係る天井構造１０２においては、第一補強金具７０が設けられない点で第一実施形態に係る天井構造１と異なる。
【０１０５】
この場合、一対のブレース６０は、第一実施形態に係る天井構造１とは異なり第一補強金具７０を介して第二補強金具８０と接続されない。しかし、例えば地震発生時に天井面材５０が野縁受け３０の長手方向（左右方向）に揺れた場合、当該天井面材５０に生じる水平力を第二補強金具８０によって効果的に野縁受け３０に伝達し、ひいては一対のブレース６０に効果的に伝達することができる。
【０１０６】
また、一対のブレース６０と天井面材５０とが、野縁受け３０及び野縁４０を介して固定されるだけでなく、野縁受け３０及び第二補強金具８０（より詳細には、下端延出部８４）を介して固定される。こうして、一対のブレース６０と天井面材５０との間において応力が集中するのを抑制することができる。こうして、応力の集中による上記各種の部材（例えば、野縁受け３０）が変形するのを抑制することができ、当該変形により天井面材５０が脱落するのを抑制することができる。
【０１０７】
また、第二補強金具８０の構成は、本実施形態に係るものに限定されない。例えば、第二補強金具８０の大きさ及び形状は、適宜変更可能である。また、第二補強金具８０は、一枚の平板状の部材が適宜折り曲げられることにより形成されるものとしたが、これに限らない。また、上端延出部８１の後端部に、下方に折り曲げられたリブ状の部分を形成しなくてもよい。また、垂れ部８２はその一部又は全部が、当初、上端延出部８１と同様に板面を上下方向へ向けて形成されており、第二補強金具８０の取り付け作業を行う場合に、作業者により折り曲げられるものであってもよい。以下では、図１１から図１４を用いて、第二補強金具８０の別実施形態について説明する。
【０１０８】
まず、図１１（ａ）及び図１２を用いて、第二実施形態に係る第二補強金具１８０、及び、当該第二補強金具１８０を用いた天井構造１について説明する。
【０１０９】
第二実施形態に係る第二補強金具１８０において、第一実施形態に係る第二補強金具８０と異なる構成は、接続部８３の代わりに接続部１８３を有する点である。なお以下では、第二補強金具１８０の第二補強金具８０と異なる構成に着目し、同一の構成については同一の符号を付することにより説明を省略する。
【０１１０】
図１１（ａ）に示すように、接続部１８３は、傾斜部１１１と、鉛直部１１２と、を有する。
【０１１１】
傾斜部１１１は、接続部１８３の下側を構成する部分である。接続部１８３は、板面を後上方及び前下方へ向けて配置される。接続部１８３は、側面視で、下端延出部８４の後端部から前上方へ直線状に延びるように形成される。こうして、接続部１８３は、当該接続部１８３の全体が鉛直方向に対して前方へ傾斜した姿勢に形成される。
【０１１２】
鉛直部１１２は、接続部１８３の上側を構成する部分である。鉛直部１１２は、板面を前後方向へ向けて配置される。鉛直部１１２は、側面視で、傾斜部１１１の上端部から上方へ直線状に延びるように形成される。鉛直部１１２の上端部は、上端延出部８１の後端部に接続される。
【０１１３】
このように、第二補強金具１８０においては、上端延出部８１、垂れ部８２及び接続部１８３の鉛直部１１２により、側面視で下方に開放された略コの字状の空間が形成される。なお以下では、この空間を「挿入部１８５」と称する。挿入部１８５においては、前側の壁部（垂れ部８２）及び後側の壁部（接続部１８３の鉛直部１１２）が互いに平行となる。
【０１１４】
こうして、図１２に示すように、第二補強金具１８０の挿入部１８５に野縁受け３０の上端部が挿入された場合、当該挿入部１８５の全ての内面（垂れ部８２の後面、上端延出部８１の下面及び鉛直部１１２の前面）を、野縁受け３０と略隙間無く密着させることができる。こうして、第二補強金具１８０と野縁受け３０との隙間に基づくガタつきの発生を抑制することができ、ひいてはガタつきに応じて第二補強金具１８０が変形するのを抑制することができる。
【０１１５】
以上のように、第二補強金具１８０を用いた天井構造１において、
前記接続部１８３は、
上部において鉛直方向に延びる鉛直部１１２を有するものである。
【０１１６】
このような構成により、第二補強金具１８０と野縁受け３０との隙間に基づくガタつきの発生を抑制することができ、ひいてはガタつきに応じて第二補強金具１８０が変形するのを抑制することができる。
【０１１７】
次に、図１１（ｂ）及び図１３を用いて、第三実施形態に係る第二補強金具２８０、及び、当該第二補強金具２８０を用いた天井構造１について説明する。
【０１１８】
第二実施形態に係る第二補強金具２８０において、第一実施形態に係る第二補強金具８０と異なる構成は、接続部８３の代わりに接続部２８３を有する点である。なお以下では、第二補強金具２８０の第二補強金具８０と異なる構成に着目し、同一の構成については同一の符号を付することにより説明を省略する。
【０１１９】
図１１（ｂ）に示すように、接続部２８３は、水平部２１１と、鉛直部２１２と、を有する。
【０１２０】
水平部２１１は、接続部２８３の下端部を構成する部分である。水平部２１１は、板面を上下方向へ向けて配置される。水平部２１１は、下端延出部８４と上下方向に重なり合うように設けられる。水平部２１１の後端部は、下端延出部８４の後端部と接続される。
【０１２１】
鉛直部２１２は、接続部２８３のうち下端部以外の部分を構成する部分である。鉛直部２１２は、板面を前後方向へ向けて配置される。鉛直部２１２は、側面視で、水平部２１１の前端部から上方へ直線状に延びるように形成される。鉛直部２１２の上端部は、上端延出部８１の後端部に接続される。
【０１２２】
このように、第二補強金具２８０においては、上端延出部８１、垂れ部８２及び接続部２８３の鉛直部２１２により、側面視で下方に開放された略コの字状の空間が形成される。なお以下では、この空間を「挿入部２８５」と称する。挿入部２８５においては、前側の壁部（垂れ部８２）及び後側の壁部（接続部２８３の鉛直部２１２）が互いに平行となる。
【０１２３】
こうして、図１３に示すように、第二補強金具２８０の挿入部２８５に野縁受け３０の上端部が挿入された場合、当該挿入部２８５の全ての内面（垂れ部８２の後面、上端延出部８１の下面及び鉛直部２１２の前面）を、野縁受け３０と略隙間無く密着させることができる。また、この際、第二補強金具２８０においては、鉛直部２１２の前面を、野縁受け３０の上端部の後面だけでなく、下端部の後面にも略隙間無く密着させることができる。こうして、第二補強金具２８０と野縁受け３０との隙間に基づくガタつきの発生をより効果的に抑制することができ、ひいてはガタつきに応じて第二補強金具２８０が変形するのをより効果的に抑制することができる。
【０１２４】
また、上述の如き第二補強金具２８０は、接続部２８３が傾斜して形成されないものの（第二補強金具８０と同様に）一枚の金属製の板状部材を適宜折り曲げることにより形成することができる。こうして、製造コストを削減できるため、第二補強金具２８０を比較的安価に提供することができる。
【０１２５】
以上のように、第二補強金具２８０を用いた天井構造１において、
前記第二補強金具２８０（固定補強部材）は、
前記ビス８７が設けられる上端延出部８１と、
前記ビス８６が設けられる下端延出部８４（下側部材）と、
前記上端延出部８１（上側部材）の後端部（前記一方向における一側端部）と前記下端延出部８４（下側部材）の後端部（前記一方向における一側端部）とを接続する接続部３８３と、
を具備し、
前記接続部３８３は、
下端部から上端部まで鉛直方向に延びるように形成されるものである。
【０１２６】
このような構成により、第二補強金具２８０と野縁受け３０との隙間に基づくガタつきの発生をより効果的に抑制することができ、ひいてはガタつきに応じて第二補強金具２８０が変形するのをより効果的に抑制することができる。
【０１２７】
次に、図１１（ｃ）及び図１４を用いて、第四実施形態に係る第二補強金具３８０、及び、当該第二補強金具３８０を用いた天井構造１について説明する。
【０１２８】
第四実施形態に係る第二補強金具３８０において、第一実施形態に係る第二補強金具８０と異なる構成は、垂れ部８２を有さない点、上端延出部８１の代わりに上端延出部３８１を有する点、接続部８３の代わりに接続部３８３を有する点、下端延出部８４の代わりに下端延出部３８４を有する点である。なお以下では、第二補強金具３８０の第二補強金具８０と異なる構成に着目し、同一の構成については同一の符号を付することにより説明を省略する。
【０１２９】
上端延出部３８１は、第二補強金具３８０の上側面を構成する部分である。上端延出部３８１は、板状部材が折り曲げられて形成される。上端延出部３８１は、板面を上下方向へ向けた２枚の板状部材が、上下方向に互いに重なり合うように形成される。こうして、上端延出部３８１の前端部は、上側と下側とに分かれるように形成される。
【０１３０】
接続部３８３は、板面を前後方向へ向けた２枚の板状部材が、前後方向に重なり合うように形成される。接続部３８３は、当該接続部３８３の下端部から上端部まで鉛直方向に延びるように形成される。なお以下では、２枚の板状部材のうち、後側に設けられるものを「後側接続部３１１」と、前側に設けられるものを「前側接続部３１２」とそれぞれ称する。後側接続部３１１及び前側接続部３１２は、互いに略隙間無く密着するように形成される。後側接続部３１１の上端部は、上端延出部３８１の前端部の下側に接続される。また、前側接続部３１２の上端部は、上端延出部３８１の前端部の上側に接続される。
【０１３１】
下端延出部３８４は、第二補強金具３８０の下側面を構成する部分である。下端延出部３８４は、板面を上下方向へ向けて配置される。下端延出部３８４は、当該下端延出部３８４の後側を構成する後側延出部３２１と、当該下端延出部３８４の前側を構成する前側延出部３２２と、を有する。後側延出部３２１の前端部は、後側接続部３１１の下端部に接続される。また、前側延出部３２２の後端部は、前側接続部３１２の下端部に接続される。こうして、下端延出部３８４は、前後方向の中央から、接続部３８３を上方へ立ち上がるように支持する。
【０１３２】
このように、第二補強金具３８０においては、接続部３８３が、下端延出部３８４の前後方向の中央から鉛直方向に延びるように形成される。こうして、例えば地震発生時に天井面材５０が野縁受け３０の長手方向（左右方向）に揺れた場合、当該天井面材５０に生じる水平力を、下端延出部３８４（後側延出部３２１及び前側延出部３２２）と接続部３８３を介して効果的に野縁受け３０に伝達し、ひいては一対のブレース６０に効果的に伝達することができる。こうして、天井構造１を構成する上記各種の部材を一体的に変位させることができ、例えば建物Ｈの壁部等に衝突するのを抑制し、当該衝突により天井面材５０が脱落するのを抑制することができる。
【０１３３】
また、第二補強金具３８０の上端延出部３８１及び接続部３８３においては、それぞれ２枚の板状部材が互いに重なり合うように形成される。これにより、上述の如き天井面材５０に生じる水平力を、より効果的に野縁受け３０に伝達することができる。また、長期間の使用に基づく劣化等によりガタつきが発生するのを抑制することができ、ひいてはガタつきに応じて第二補強金具３８０が変形するのを抑制することができる。
【０１３４】
また、上述の如き第二補強金具３８０は、上端延出部３８１及び接続部３８３において２枚の板状部材が互いに重なり合うように形成されるものの、（第二補強金具８０と同様に）一枚の金属製の板状部材を適宜折り曲げることにより形成することができる。こうして、製造コストを削減できるため、第二補強金具３８０を比較的安価に提供することができる。
【０１３５】
以上のように、第二補強金具３８０を用いた天井構造１において、
前記接続部３８３は、
前記接続部３８３の前後方向（前記一方向）における中央から、鉛直方向に延びるように形成されるものである。
【０１３６】
このような構成により、第二補強金具３８０と野縁受け３０との隙間に基づくガタつきの発生をより効果的に抑制することができ、ひいてはガタつきに応じて第二補強金具３８０が変形するのをより効果的に抑制することができる。
【符号の説明】
【０１３７】
１      天井構造
３０    野縁受け
４０    野縁
５０    天井面材
６０    ブレース
８０    第二補強金具
８６    ビス
８６ａ  前側ビス
８６ｃ  後側ビス
８７    ビス
【図１】
2020165122.tif 000003
【図２】
2020165122.tif 000004
【図３】
2020165122.tif 000005
【図４】
2020165122.tif 000006
【図５】
2020165122.tif 000007
【図６】
2020165122.tif 000008
【図７】
2020165122.tif 000009
【図８】
2020165122.tif 000010
【図９】
2020165122.tif 000011
【図１０】
2020165122.tif 000012
【図１１】
2020165122.tif 000013
【図１２】
2020165122.tif 000014
【図１３】
2020165122.tif 000015
【図１４】
2020165122.tif 000016
【図１５】
2020165122.tif 000017